(57)【要約】【課題】  反射光下にて等色であり、透過光下において色彩が変化して画像が視認できる印刷物において、特にコントラストを向上させた透過潜像印刷物を提供する。【解決手段】  透過性を有する基材に、第一の領域と第二の領域から成る印刷画像を備えた印刷物において、第一の領域に、基材と異なる色の第１の画像要素が複数配置されて成る第一の画像を形成し、第二の領域に、第２の画像要素が、第１の画像要素の面積率より高く配置された第二の画像を形成し、更に、第２の画像要素の上方に光遮断性の材料を含む第３の画像要素を積層して、第一の領域と第二の領域を反射光下にて等色に形成する。【選択図】  図９
2019142168.tif 000002
【特許請求の範囲】
【請求項１】
透過性を有する基材に、第一の領域と第二の領域から成る印刷画像を備え、前記第一の領域に、前記基材と異なる色の第１の色材によって形成された第１の画像要素が複数配置された第一の画像が形成され、前記第二の領域に、前記基材と異なる色の第２の画像要素が複数配置された第二の画像が形成され、前記第二の画像は、ｉ）前記第１の色材によって形成された前記第２の画像要素が、前記第１の画像要素の面積率より高く配置され、かつ、前記第一の画像より濃い色であり、又はｉｉ）前記第１の色材と同じ色であって、濃度が異なる第２Ａの色材によって形成された前記第２の画像要素が、前記第１の画像要素の面積率より高く配置され、かつ、前記第一の画像より濃い色であり、又はｉｉｉ）前記第１の色材と異なる色相の第２Ｂの色材によって形成された前記第２の画像要素が複数配置され、かつ、前記第一の画像と異なる色であり、前記第２の画像要素の少なくとも一部に光遮断性の材料を含む第３の色材によって形成された第３の画像要素が積層されることで、前記第一の領域と前記第二の領域が反射光下で等色に形成され、透過光下で観察すると、前記第一の領域と前記第二の領域が透過光量の差により区分けして視認されることを特徴とする透過潜像印刷物。
【請求項２】
前記ｉ）又は前記ｉｉ）の場合、前記第３の画像要素は、白色の前記第３の色材によって形成されたことを特徴とする請求項１記載の透過潜像印刷物。
【請求項３】
前記ｉｉｉ）の場合、前記第３の画像要素は、前記第１の色材、前記第２Ａの色材及び前記第２Ｂの色材とは異なる色の前記第３の色材によって形成され、前記第２の画像要素の上方に前記第３の画像要素を積層した前記第二の領域の色が、前記第一の領域の色と反射光下で等色であることを特徴とする請求項１記載の透過潜像印刷物。
【請求項４】
前記第一の画像は、更に前記基材及び前記第１の色材と異なる色相の第１Ａの色材によって形成された第１Ａの画像要素を複数有し、前記第二の画像は、更に前記第１Ａの色材によって形成され、前記第１Ａの画像要素の面積率より高く配置された第２Ａの画像要素を複数有し、かつ、前記第２Ａの画像要素の少なくとも一部に、白色の前記第３の色材によって形成された前記第３の画像要素が積層されることで、前記第一の領域と前記第二の領域が反射光下で等色に形成されたことを特徴とする請求項２記載の透過潜像印刷物。
【発明の詳細な説明】
【技術分野】
【０００１】
本発明は、偽造防止効果を必要とする貴重印刷物である銀行券、旅券、有価証券、身分証明書、カード、通行券等において、反射光下と透過光下にて画像の一部色彩が変化する透過潜像印刷物に関するものである。
【背景技術】
【０００２】
近年、スキャナ、プリンター、カラー複写機といったデジタル機器の進展によって、貴重印刷物の精巧な複製物を容易に作製することができる。このデジタル機器による複製や偽造などを防止するため、プリンターや複写機では再現不可能な偽造防止技術が必要とされている。
【０００３】
今日、偽造防止技術の一つとして、用紙の粗密や薄厚により模様を形成し透過光下で視認させる、いわゆる「透かし技術」が存在する。この透かし技術は一定量以上の光量さえあれば、あらゆる環境下において真偽判別することが可能である。加えて、知名度も抜群に高いことから、古くから存在する技術であるにもかかわらず、今なお世界中の銀行券等に使用されている。
【０００４】
しかし、透かし技術は、用紙の製造段階にて形成する必要があり、用紙製造メーカでなければ製造が容易ではない。また、製造コストも高いことから一般には採用しにくい技術である。これを擬似的に再現する方法として、印刷工程において特殊な浸透型インキを使用し、この透かしに相当する透過画像を印刷にて形成する偽造防止技術が存在する（例えば、特許文献１参照）。
【０００５】
また、印刷による透かし技術の一つとして、紙面上に、遮光インキを部分的に形成して透かし標章部を形成し、その上方に書き込み情報が印字された透かし入り帳票用紙が開示されている（例えば、特許文献２参照）。この特許文献２の技術は、光を遮蔽する能力のある酸化チタンを透かし用インキとして用いており、透かしの経時変化を抑えるとともに、微細な透かしを形成するものである。
【０００６】
一方、本出願人は、特許文献１及び特許文献２のように印刷技術にて施す透かし技術において、透過光下にて観察した時にコントラストが高く、鮮明な画像が視認できる印刷物として、基材の上方に金属顔料を含み浸透性を抑制するインキにより形成した模様と、更にその上方に浸透成分を有するインキにより形成した模様を重ねて形成した印刷物を提案している（例えば、特許文献３参照）。
【０００７】
以上のような、浸透成分を有するインキや光遮断性のインキを使用して模様を形成し、反射光下では不可視であり、透過光下では画像が視認できる技術がいろいろと提案される中、本出願人は、透過光下にて観察した時に新たな効果を生じさせる印刷物として、反射光下の観察では等色であり、区分けして視認できない二つの領域から成る印刷模様が、透過光下で観察すると二つの領域に明暗差が生じて印刷模様が視認できる印刷物を提案している（例えば、特許文献４参照）。
【先行技術文献】
【特許文献】
【０００８】
【特許文献１】特開平６−２２８９００号公報
【特許文献２】特許第３４４４５３５号公報
【特許文献３】特許第５９９０７５４号公報
【特許文献４】特許第６０１４８７７号公報
【発明の概要】
【発明が解決しようとする課題】
【０００９】
しかしながら、特許文献４の印刷物は印刷模様が反射光下にて等色と視認され、透過光下では色彩変化して視認されるものであり、前述の貴重印刷物に施すことである程度の効果を確認することはできるが、真偽判別や偽造抑制技術の観点からは更なる効果の向上が望まれていた。すなわち、透過光下での観察時に視認できる二つの領域のコントラストを更に高くするという課題がある。
【００１０】
本発明は、前述した課題の解決を目的とするものであり、反射光下にて等色であり、透過光下では色彩変化して画像が視認できる印刷物において、特にコントラストを向上させた透過潜像印刷物を提供するものである。
【課題を解決するための手段】
【００１１】
本発明の透過潜像印刷物は、透過性を有する基材に、第一の領域と第二の領域から成る印刷画像を備え、第一の領域に、基材と異なる色の第１の色材によって形成された第１の画像要素が複数配置された第一の画像が形成され、第二の領域に、基材と異なる色の第２の画像要素が複数配置された第二の画像が形成され、第二の画像は、ｉ）第１の色材によって形成された第２の画像要素が、第１の画像要素の面積率より高く配置され、かつ、第一の画像より濃い色であり、又はｉｉ）第１の色材と同じ色であって、濃度が異なる第２Ａの色材によって形成された第２の画像要素が、第１の画像要素の面積率より高く配置され、かつ、第一の画像より濃い色であり、又はｉｉｉ）第１の色材と異なる色相の第２Ｂの色材によって形成された第２の画像要素が複数配置され、かつ、第一の画像と異なる色であり、第２の画像要素の少なくとも一部に光遮断性の材料を含む第３の色材によって形成された第３の画像要素が積層されることで、第一の領域と第二の領域が反射光下で等色に形成され、透過光下で観察すると、第一の領域と第二の領域が透過光量の差により区分けして視認されることを特徴としている。
【００１２】
また、本発明の透過潜像印刷物は、ｉ）又はｉｉ）の場合、第３の画像要素は、白色の第３の色材によって形成されたことを特徴としている。
【００１３】
また、本発明の透過潜像印刷物は、ｉｉｉ）の場合、第３の画像要素は、第１の色材、第２Ａの色材及び第２Ｂの色材とは異なる色の第３の色材によって形成され、第２の画像要素の上方に第３の画像要素を積層した第二の領域の色が、第一の領域の色と反射光下で等色であることを特徴としている。
【００１４】
また、本発明の透過潜像印刷物は、第一の画像は、更に基材又は第１の色材と異なる色相の第１Ａの色材によって形成された第１Ａの画像要素を複数有し、第二の画像は、更に第１Ａの色材によって形成され、第１Ａの画像要素の面積率より高く配置された第２Ａの画像要素を複数有し、かつ、第２Ａの画像要素の少なくとも一部に、白色の第３の色材によって形成された第３の画像要素が積層されることで、第一の領域と第二の領域が反射光下で等色に形成されたことを特徴としている。
【発明の効果】
【００１５】
本発明の透過潜像印刷物は、反射光下において等色に形成された二つの領域から成る印刷画像を透過光下にて観察すると、透過光量の差により明暗差が生じて二つの領域が区分けして視認でき、真偽判別が可能であり、かつ、透過光下での観察にて区分けして視認できる二つの領域のコントラストが従来技術のものよりもはるかに高いことから真偽判別性に優れる。
【図面の簡単な説明】
【００１６】
【図１】本発明の透過潜像印刷物を反射光下にて観察した概観図である。
【図２】本発明の透過潜像印刷物を透過光下にて観察した概観図である。
【図３】印刷画像の構成を示す図である。
【図４】第一の領域の構成を示す図である。
【図５】第二の領域の構成を示す図である。
【図６】第二の領域における第二の画像の構成を示す図である。
【図７】第二の領域における第三の画像の構成を示す図である。
【図８】第２の画像要素の上方に第３の画像要素が重なる模式図である。
【図９】印刷画像の積層状態を示す図である。
【図１０】透過潜像印刷物の観察状態を示す図である。
【図１１】第１の画像要素が画線にて構成された概観図である。
【図１２】第２の画像要素が画線にて構成された概観図である。
【図１３】第一の領域と第二の領域の一例を示す図である。
【図１４】第３の実施の形態の第一の画像の構成を示す図である。
【図１５】第３の実施の形態の第二の画像の構成を示す図である。
【図１６】第３の実施の形態の第三の画像の構成を示す図である。
【発明を実施するための形態】
【００１７】
本発明を実施するための形態について、図面を参照して説明する。しかしながら、本発明は以下に述べる実施するための形態に限定されるものではなく、特許請求の範囲に記載される技術的思想の範囲内であれば、その他の様々な実施の形態が含まれる。
【００１８】
図１に、本発明における透過潜像印刷物（１）を示す。本発明の透過潜像印刷物（１）は、基材（２）の上方に基材（２）と異なる色の印刷画像（３）が形成されて成る。本発明の透過潜像印刷物（１）を反射光下にて観察すると印刷画像（３）は、図１に示すように一様な濃度で観察される。
【００１９】
次に、図２に、本発明における透過潜像印刷物（１）を透過光下にて観察した状態を示す。反射光下においては一様な濃度の印刷画像（３）であったものが、透過光下では濃淡差を生じ、別模様の印刷画像（３）として観察される。以下に、本発明の透過潜像印刷物（１）について説明する。
【００２０】
（基材）
本発明における透過潜像印刷物（１）を構成する基材（２）は、上質紙やコート紙、フィルムやプラスチックのように光を透過する特性、いわゆる光透過性を有する必要がある。ただし、不透明なプラスチックや金属では透過光下での効果は得られない。
【００２１】
（第１の実施の形態）
図３に、第１の実施の形態の印刷画像（３）の構成を示す。印刷画像（３）は、第一の領域（４）と第二の領域（５）の二つの領域を有する。本実施の形態において、印刷画像（３）は籠目模様を表現しており、第一の領域（４）は扇パターンで構成された外周部、そして、第二の領域（５）は風車模様で構成された中央部を形成しており、合成された模様として印刷画像（３）の籠目模様となる。印刷画像（３）は、基材（２）と異なる色彩であれば、透明以外のいかなる色彩であってもよい。なお、本発明における「色彩」とは、色相、彩度及び明度の概念を含んで色を表したものである。また、画像要素の形成に使用する「色材」については、以降、「インキ」と称して説明する。
【００２２】
（第一の領域）
図４は、第一の領域（４）の構成を示す図である。第一の領域（４）は、図４の拡大図に示すように、第１のインキによる第１の画像要素（６）が所定のピッチで複数配置されることで、所定の面積率を有する第一の画像（８）として形成される。なお、本発明において「面積率」とは、基材（２）における一定の面積の中に配置される要素の面積の割合のことである。第１の画像要素（６）を形成するための第１のインキとしては、プロセスインキや特色インキ等の着色インキを使用する。なお、第１のインキは、後述する第二の領域（５）の画像の形成に使用する光遮断性のある材料を含まない着色インキである。
【００２３】
図４において、第１の画像要素（６）は、円形の画素で構成された例を示しているが、本発明において、第１の画像要素（６）は、画線の構成であってもよいし、画線と画素を組み合わせて構成してもよい。なお、本発明において、「画素」とは、印刷画像を形成する最小単位である印刷網点自体か、又は印刷網点を複数集合させて形成した一塊の画像要素であって、円や三角形、四角形などの多角形、星型等の各種図形、加えて、文字や記号、数字等も含まれる。一方、「画線」とは、印刷画像を形成する最小単位である印刷網点を特定の方向に連続して配置し形成した画像要素であって、点線や破線の分断線、直線、曲線及び波線等が含まれる。後述する第２の画像要素（７）及び第３の画像要素（１０）についても同様である。なお、以後の説明では、各要素が円形の画素で構成された例について説明する。
【００２４】
図４の例では、第１の画像要素（６）が円形の画素で構成された例であり、この場合、図４の拡大図に示すように、円形の画素で構成された第１の画像要素（６）は、第１Ａの方向（ＶＡ１）に第１ａのピッチ（Ｐ１ａ）、第１Ｂの方向（ＶＢ１）に第１ｂのピッチ（Ｐ１ｂ）にて複数配置される。なお、第１の画像要素（６）が配置される第１Ａの方向（ＶＡ１）と第１Ｂの方向（ＶＢ１）は、異なる方向であれば、図４に示す方向に限定されるものではない。
【００２５】
本発明の透過潜像印刷物（１）では、反射光下において第一の領域（４）と第二の領域（５）が一様な濃度の印刷画像（３）と視認されるように、第一の領域（４）、第二の領域（５）のそれぞれに一様な濃度の画像を形成している。そして、画素、画線又はその組合せで構成される第１の画像要素（６）の形状や色が目視にて認識できないように、各要素の大きさと各要素が配置されるピッチは十分に細かい必要がある。画素にて構成される各要素の大きさは、第１Ａの方向（ＶＡ１）への第１の画像要素（６）の大きさを「ＷＡ１」、第１Ｂの方向（ＶＢ１）への第１の画像要素（６）の大きさを「ＷＢ１」とすると、第１の画像要素の大きさ（ＷＡ１、ＷＢ１）は、１０μｍから５００μｍまでの範囲にて形成する必要があり、また、第１ａのピッチ（Ｐ１ａ）及び第１ｂのピッチ（Ｐ１ｂ）は８０μｍから１，５００μｍまでの範囲が適しており、好ましくは１００μｍから１，０００μｍまでの範囲が良い。
【００２６】
（第二の領域）
第二の領域（５）は、図５（ａ）に示すように、第二の画像（９）と第三の画像（１１）で構成され、第二の画像（９）と第三の画像（１１）の積層関係は、図５（ｂ）に示すように、第二の画像（９）の上方に第三の画像（１１）が重なる構成である。以下、第二の画像（９）及び第三の画像（１１）の構成について説明する。
【００２７】
（第二の画像）
図６は、第二の画像（９）の構成を示す図である。第二の画像（９）は、図６の拡大図に示すように、第１の画像要素（６）を形成するインキと同じ第１のインキによる第２の画像要素（７）が、所定のピッチにて複数配置されることで、所定の面積率を有して、第二の領域（５）に形成される。図６の拡大図に示す第２の画像要素（７）は、円形の画素で構成された例を示しており、この場合、第２の画像要素（７）が第２Ａの方向（ＶＡ２）に第２ａのピッチ（Ｐ２ａ）、第２Ｂの方向（ＶＢ２）に第２ｂのピッチ（Ｐ２ｂ）にて複数配置される。なお、第２の画像要素（７）が配置される第２Ａの方向（ＶＡ２）と第２Ｂの方向（ＶＢ２）は、異なる方向であれば図６に示す方向に限定されるものではない。また、第２の画像要素（７）が配置される方向（ＶＡ２、ＶＢ２）は、第１の画像要素（６）が配置される方向（ＶＡ１、ＶＢ１）と同じ方向であってもよいし、異なる方向であってもよい。
【００２８】
第二の画像（９）においても、一様な濃度の画像を形成するため、第２の画像要素（７）の第２Ａの方向（ＶＡ２）への大きさを「ＷＡ２」、第２Ｂの方向（ＶＢ２）への大きさを「ＷＢ２」とすると、第２の画像要素の大きさ（ＷＡ２、ＷＢ２）は、１０μｍから５００μｍまでの範囲にて形成する必要があり、ピッチ（Ｐ２ａ、Ｐ２ｂ）は８０μｍから１，５００μｍまでの範囲が適しており、好ましくは１００μｍから１，０００μｍまでの範囲が良い。
【００２９】
第二の画像（９）の面積率は、第一の画像（８）の面積率より高くしなければならない。この理由は、後述する白色であって、かつ、光遮断性を有するインキによる第三の画像（１１）が積層されることで第二の領域（５）の画像濃度が淡くなるためであり、下層の第二の画像（９）はあらかじめ、第一の画像（８）より面積率を高く設計しておく必要がある。
【００３０】
第二の画像（９）の面積率を第一の画像（８）の面積率より高くするための具体例として、第２の画像要素（７）の円形画素の大きさを第１の画像要素（６）より大きくし、第１の画像要素（６）と第２の画像要素（７）を同じピッチで配置する構成がある。この場合、前述した第２の画像要素（７）の大きさ（ＷＡ２、ＷＢ２）を第１の画像要素（６）の大きさ（ＷＡ１、ＷＢ１）より大きくすることで、第二の画像（９）の面積率を第一の画像（８）の面積率より高くできる。また、別の具体例としては、第１の画像要素（６）と第２の画像要素（７）を同じ大きさの円形画素とし、第２の画像要素（７）を配置するピッチ（Ｐ２ａ、Ｐ２ｂ）を第１の画像要素（６）を配置するピッチ（Ｐ１ａ、Ｐ１ｂ）より小さく設計する構成がある。この構成で成る第二の画像（９）は、第一の画像（８）より面積率が高いことから第一の画像（８）より濃い色の画像として形成される。
【００３１】
（第三の画像）
図７は、第三の画像（１１）の構成を示す図である。第二の領域（５）の第二の画像（９）の上方に積層して形成する第三の画像（１１）は、図７の拡大図に示すように、白色であって、かつ、光遮断性を有するインキによる第３の画像要素（１０）が所定のピッチで複数配置されることで、所定の面積率を有する第三の画像（１１）が形成される。そして、第３の画像要素（１０）は、第２の画像要素（７）と同じピッチ（Ｐ３ａ、Ｐ３ｂ）にて第２の画像要素（７）が配置される方向（ＶＡ２、ＶＢ２）に配置されることにより、第２の画像要素（７）の上方に重なって形成される。
【００３２】
なお、第３の画像要素（１０）の第３Ａの方向（ＶＡ３）への大きさを「ＷＡ３」、第３Ｂの方向（ＶＢ３）への大きさを「ＷＢ３」とすると、第３の画像要素（１０）の大きさ（ＷＡ３、ＷＢ３）は、第２の画像要素（７）と同じ大きさであってもよいし、異なる大きさであってもよい。しかし、第三の画像（１１）も一様な濃度の画像を形成するため、１０μｍから５００μｍまでの範囲にて形成する必要がある。また、第２の画像要素（７）と第３の画像要素（１０）が異なる大きさの場合、第３の画像要素（１０）は、第２の画像要素（７）より大きく設計してもよいし、小さく設計してもよい。ただし、後述する第一の領域（４）と第二の領域（５）が等色に形成されるように第３の画像要素（１０）の大きさを調整する必要がある。
【００３３】
また、図８（ａ）は、横線で示す第２の画像要素（７）と縦線で示す第３の画像要素（１０）が同じ位置で一致して重なった状態を示しているが、図示するように、第２の画像要素（７）と第３の画像要素（１０）が重なる配置としては、同じ大きさの第２の画像要素（７）と第３の画像要素（１０）が完全に一致して重なってもよい。また、図８（ｂ）に示すように、同じ大きさの第２の画像要素（７）と第３の画像要素（１０）の一部が重なる配置としてもよい。また、図８（ｃ）は、第２の画像要素（７）が第３の画像要素（１０）より小さく、第２の画像要素（７）の全体が第３の画像要素（１０）に覆われて配置された状態を示しているが、図示するように異なる大きさとした第２の画像要素（７）と第３の画像要素（１０）を配置してもよい。また、図８（ｄ）に示すように、第３の画像要素（１０）が第２の画像要素（７）より小さく、第２の画像要素（７）の上方の一部に第３の画像要素（１０）の全体が重なって配置してもよい。加えて、図８（ｅ）に示すように、異なる大きさの第２の画像要素（７）と第３の画像要素（１０）の一部が重なる配置としてもよい。ただし、後述する第一の領域（４）と第二の領域（５）が等色に形成されるように第２の画像要素（７）と第３の画像要素（１０）が重なる配置に調整する必要がある。
【００３４】
なお、第３の画像要素（１０）を形成するインキは、光遮断性を有するために金属顔料を含むインキを使用する。また、第１の実施の形態において、第３の画像要素（１０）を形成する光遮断性を有するインキは白色であり、光遮断性がある白色インキの例としては金属顔料である酸化チタンを配合したインキがある。
【００３５】
（等色関係の説明）
続いて、本発明の第一の領域（４）と第二の領域（５）が、反射光下では等色の印刷画像（３）として形成される構成及び理由について説明する。第１のインキの具体例として、青色の着色インキを用い、第一の画像（８）を面積率４５％、第二の画像（９）を面積率８０％にて形成したとすると、第二の画像（９）は第一の画像（８）よりも面積率が高いことから、青色の色が濃い状態にて形成される。また、白色であり、光遮断性を有するインキから成る第三の画像（１１）が、第二の画像（９）の上方に積層されると、反射光下にて第二の領域（５）は、第二の画像（９）の濃い青色の色と第三の画像（１１）の白色が混色した色として視認される。このように、濃い青色と白色が混色して、濃い青色の色が淡くなることにより、反射光下における第二の領域（５）の色を第一の領域（４）の青色と等色にすることができる。
【００３６】
なお、異なる面積率にて形成される第一の画像（８）と第二の画像（９）を反射光下で等色に形成するための条件は、使用する第１のインキの色、第一の画像（８）と第二の画像（９）の面積率、第２の画像要素（７）と第３の画像要素（１０）同士が重なる面積の割合及び第３の画像要素（１０）を形成するインキの混色具合又はインキ濃度により異なるため、あらかじめ等色となる条件を確認し、第一の領域（４）と第二の領域（５）の印刷条件として適用すればよい。
【００３７】
例えば、第一の画像（８）を面積率４５％、第二の画像（９）を面積率８０％にて形成し、第三の画像（１１）を構成する第３の画像要素（１０）を図８（ａ）に示す状態に形成したとき、第一の領域（４）と第二の領域（５）が等色となる条件に対して、図８（ｂ）に示すように、第２の画像要素（７）と第３の画像要素（１０）の一部が重なると、第３の画像要素（１０）が重なる面積が小さくなることから第２の画像要素（７）を淡くする効果が低くなる。このような場合、第一の画像（８）の面積率を４５％より高くするか、又は第３の画像要素（１０）の濃度を上げるかとなり、具体的には光遮断性を有する白色インキの転移量を増加させることで、第一の領域（４）と第二の領域（５）の等色関係を構成することができる。
【００３８】
また、第一の画像（８）を面積率４５％、第二の画像（９）を面積率８０％にて形成し、第三の画像（１１）を構成する第３の画像要素（１０）を図８（ａ）に示す状態に形成したとき、第一の領域（４）と第二の領域（５）が等色となる条件に対して、第一の画像（８）の面積率を高くすると、図８（ｄ）に示すように第３の画像要素（１０）を小さくするか、又は第３の画像要素（１０）の濃度を下げるかとなり、具体的には光遮断性を有する白色インキの転移量を減らして第２の画像要素（７）が淡くなる度合いを低くすることで、第一の領域（４）と第二の領域（５）の等色関係を構成することができる。
【００３９】
また、第一の画像（８）を面積率４５％、第二の画像（９）を面積率８０％にて形成し、第三の画像（１１）を構成する第３の画像要素（１０）を図８（ａ）に示す状態に形成したとき、第一の領域（４）と第二の領域（５）が等色になる条件に対して、第一の画像（８）の面積率を低くすると、図８（ｃ）に示すように第２の画像要素（７）の面積率を低くするか、又は第３の画像要素（１０）の濃度を上げるかとなり、具体的には光遮断性を有する白色インキの転移量を増加させることで、第一の領域（４）と第二の領域（５）の等色関係を構成することができる。
【００４０】
（断面構造）
以上、記載のとおり形成した印刷画像（３）の積層状態の一例を図９に示す。印刷画像（３）の一部分、Ｘ−Ｘ’の断面構造を印刷画像（３）下に示す。第一の領域（４）には、第１の画像要素（６）による第一の画像（８）が基材（２）の上方に形成され、第二の領域（５）には、第２の画像要素（７）による第二の画像（９）の上方に積層して第３の画像要素（１０）による第三の画像（１１）が形成されている。なお、本発明において各画像要素（６、７、１０）を形成する方法としては、オフセット印刷、フレキソ印刷、スクリーン印刷等の印刷機械を使用する方法、又はレーザプリンタを使用する方法がある。
【００４１】
（反射光下の観察）
以上の構成で形成された透過潜像印刷物（１）を、反射光下において観察した状態を図１０（ａ）に示す。図１０（ａ）のように、透過潜像印刷物（１）を光源（Ｌ１）からの反射光下において反射画像の観察者（Ｅ１）が観察すると、印刷画像（３）の第一の領域（４）と第二の領域（５）は等色に観察され、籠目模様が認識できる。これは、前述のとおり、第一の領域（４）と第二の領域（５）が等色に感じられるように第１の画像要素（６）、第２の画像要素（７）及び第３の画像要素（１０）を適宜形成しているからである。なお、本発明でいう「等色」とは、観察者が注意を払わずに画像を一べつした場合に同じ色彩であると感じられる程度に二つの色彩が近い状態を指すこととする。具体的には、色差ΔＥ（本発明ではＣＩＥ１９７６Ｌ＊ａ＊ｂ＊色差式によるものとする。）が７以下の数値までを本発明上の等色と定義する。
【００４２】
（透過光下の観察）
透過画像の観察者（Ｅ２）と光源（Ｌ２）との間に透過潜像印刷物（１）を配置した観察状態を図１０（ｂ）に示す。図１０（ｂ）のように透過潜像印刷物（１）を透過光下にて観察すると、第二の領域（５）が第一の領域（４）より暗くなり、反射光下にて等色に視認されていた二つの領域が区分けされ、第一の画像（８）である「扇パターン」と第二の画像（９）である「風車模様」がそれぞれ視認できる。これは、光源（Ｌ２）によって基材（２）を透過した光のうち、第一の領域（４）では第１のインキによる第１の画像要素（６）を透過した光量と、基材（２）を透過した光量とが感じられることに加えて、一方の第二の領域（５）では、第二の画像（９）の面積率が第一の画像（８）の面積率より高い、すなわち、光を遮断する第２の画像要素（７）の面積が広いことで第一の領域（４）よりも暗くなるからである。さらに、第二の画像（９）を透過した光は、更に、第３の画像要素（１０）によって遮断されることで、より暗くなり、その結果、第一の領域（４）と第二の領域（５）に瞭然とした明暗差が生じて視認されるからである。
【００４３】
本発明の第１の実施の形態の透過潜像印刷物（１）は、面積率の差によって濃淡差がある第一の画像（８）と第二の画像（９）を設けることで、透過光下において明暗差を得る効果と、第三の画像（１１）によって光を遮断する効果によって、第一の領域（４）と第二の領域（５）の透過光下でのコントラストを大きくする効果がある。詳細には、本発明の第１の実施の形態では、光遮断性を有するインキによって形成する第３の画像要素（１０）の面積率を高くするために、第３の画像要素（１０）が重なる第２の画像要素（７）の面積率が第１の画像要素（６）の面積率より高い構成としている。また、面積率の高い第２の画像要素（７）へ白色の第３の画像要素（１０）が重なることで、第一の領域（４）と第二の領域（５）を等色にしつつ、第二の領域（５）において光を遮断する効果を高くすることができる、すなわち、第一の画像（８）と第二の画像（９）の面積率の差による透過光下での明暗差と面積率が高い第２の画像要素（７）に重なる第３の画像要素（１０）によって光を遮断する相乗効果によって、透過光下で第一の領域（４）と第二の領域（５）による明暗差が最大限に得られる。
【００４４】
（画像要素が画線で構成された例）
以上、第１の画像要素（６）、第２の画像要素（７）及び第３の画像要素（１０）が円形の画素で構成された例について説明したが、次に画線で構成された例について説明する。
【００４５】
図１１は、第１の画像要素（６）が画線で構成された例を示す図であり、この場合、図１１の拡大図に示すように、線幅（ＷＬ１）の第１の画像要素（６）が第１Ａの方向（ＶＡ１）に第１ａのピッチ（Ｐ１ａ）にて複数配置される。
【００４６】
図１２は、第２の画像要素（７）が画線で構成された例を示す図であり、この場合、図１２の拡大図に示すように、線幅（ＷＬ２）の第２の画像要素（７）が、第２Ａの方向（ＶＡ２）に第２ａのピッチ（Ｐ２ａ）にて複数配置される。なお、第１の画像要素（６）と第２の画像要素（７）が配置される方向は、同じ方向であってもよいし、異なる方向であってもよい。
【００４７】
各画像要素が円形の画素で構成される場合と同様、第二の画像（９）は第一の画像（８）よりも面積率を高くするため、第２の画像要素（７）の線幅（ＷＬ２）を第１の画像要素（６）の線幅（ＷＬ１）より大きくし、同じピッチにて配置するか、又は第１の画像要素（６）と第２の画像要素（７）を同じ線幅とし、第２ａのピッチ（Ｐ２ａ）を第１ａのピッチ（Ｐ１ａ）より小さく設計して配置する。
【００４８】
第３の画像要素（１０）が画線で構成される場合は、図１２に示す第２の画像要素（７）の構成と同様であり、線幅（ＷＬ３）の第３の画像要素（１０）が、第２の画像要素（７）と同じ第２Ａの方向（ＶＡ２）に第２ａのピッチ（Ｐ２ａ）にて複数配置される（図示せず）。また、第３の画像要素（１０）は、第２の画像要素（７）の上方に重なって形成される。
【００４９】
第１の画像要素（６）、第２の画像要素（７）及び第３の画像要素（１０）を画線で形成する場合においても、第一の領域（４）と第二の領域（５）は、反射光下においては、一様な濃度の印刷画像（３）として視認させるために第一の領域（４）及び第二の領域（５）とも一様な濃度の画像を形成する。ここで、画線で構成される各要素自体の形状や色が目視で認識できないように各要素の大きさと各要素が配置されるピッチは十分に細かくする必要がある。具体的には、第１の画像要素、第２の画像要素及び第３の画像要素の線幅（ＷＬ１、ＷＬ２、ＷＬ３）は、１０μｍから５００μｍまでの範囲にて形成する必要があり、第１ａのピッチ（Ｐ１ａ）及び第２ａのピッチ（Ｐ２ａ）は８０μｍから１，５００μｍまでの範囲が適しており、好ましくは１００μｍから１，０００μｍまでの範囲が良い。なお、各要素が画素で構成される場合において第一の領域（４）と第二の領域（５）を等色にするため、画線で構成される第一の画像（８）、第二の画像（９）及び第三の画像（１１）の面積率、第２の画像要素（７）と第３の画像要素（１０）同士が重なる面積の割合などを調整する必要がある。
【００５０】
以上、第２の画像要素（７）と第３の画像要素（１０）の配置について、画素や画線で構成された例を説明したが、第一の領域（４）と第二の領域（５）との等色関係を満たす構成であれば、第三の画像（１１）は、第２の画像要素（７）の全てを覆い、かつ、第二の領域（５）全体を覆う、いわゆる、ベタ模様の構成としてもよい。具体的には、基材（２）の色が、第３の画像要素（１０）を形成するインキの色である「白色」で同じ場合、基材（２）の上方に形成した第３の画像要素（１０）は同じ色でとして視認できないことから、第三の画像（１１）をベタ模様の構成としても第一の領域（４）と第二の領域（５）の等色関係を崩すことがない。また、基材（２）の色が白色とは異なり有色とした場合においても、基材（２）の色と基材（２）に白色印刷を施した部分の色との色差ΔＥが７以下の場合には、基材（２）の色による印刷画像（３）への影響が極めて少なく、第三の画像（１１）をベタ模様としても第一の領域（４）と第二の領域（５）を等色に形成することができる。このように、第三の画像（１１）をベタ模様の構成とした場合、第２の画像要素（７）の上方にある第３の画像要素（１０）によって光を遮断する効果を付与することに加えて、基材（２）の上方にも第３の画像要素（１０）を形成することで光を遮断する効果が付与でき、透過光下の観察状態において第二の領域（５）がより暗く観察できるため、画像を認識しやすくなる。
【００５１】
また、これまでの説明では、第一の領域（４）を扇パターン、第二の領域（５）を風車模様で構成した例について説明したが、本発明において、第一の領域（４）と第二の領域（５）に形成する模様は、これに限定されるものではなく、図１３（ａ）に示すように第一の領域（４）を星型とし、第二の領域（５）をその背景パターンとして構成してもよい。また、第一の領域（４）は、星型に限定されることなく、他の図形であってもよいし、文字、記号等であってもよい。また、図１３（ｂ）に示すように第二の領域（５）を星型とし、第一の領域（４）をその背景パターンとして構成してもよい。
【００５２】
（第２の実施の形態）
第１の実施の形態は、第１の画像要素（６）と第２の画像要素（７）とを同じ第１のインキにより形成した構成について説明したが、次に、第２の画像要素（７）を、第１の画像要素（６）を形成する第１のインキと異なる色の第２のインキによって形成する形態について説明する。なお、第２の実施の形態において、第２のインキの構成は、第１のインキと同じ色相であり、かつ、濃度が異なるインキ（以後、第２Ａのインキという。）と、第１のインキと色相が異なるインキ（以後、第２Ｂのインキという。）の二通りがあり、それぞれの構成について順に説明する。
【００５３】
はじめに、第１のインキと同じ色相であり、かつ、濃度が異なる第２Ａのインキによって第２の画像要素（７）を形成する構成について説明する。また、第２の実施の形態の一つ目の構成について分かりやすく説明するため、第１のインキとして淡い青色のインキを使用し、第２Ａのインキとして濃い青色のインキを使用した例について説明する。なお、第２の実施の形態において、第１のインキと第２Ａのインキの色相は、青色に限定されるものではなく、赤色、黄色、緑色、紫色等のいずれであってもよい。
【００５４】
第２の実施の形態の一つ目の構成においても、第３の画像要素（１０）の面積率を高くすることで、第二の領域（５）において光を遮断する効果を得るため、第２Ａのインキによって形成する第２の画像要素（７）の面積率を、第１のインキによって形成する第１の画像要素（６）の面積率より高く形成し、かつ、複数の第２の画像要素（７）によって構成される第二の画像（９）を第一の画像（８）より濃い画像として形成する。前述したとおり、濃い青色の第２Ａのインキによって第２の画像要素（７）を形成し、淡い青色の第１のインキによって第１の画像要素（６）を形成し、かつ、第２の画像要素（７）の面積率を第１の画像要素（６）の面積率より高く形成すると、インキの濃度差と画像要素の面積率の差により、第二の画像（９）は、第一の画像（８）よりも濃い画像として形成される。
【００５５】
一方、前述した第１のインキと第２Ａのインキの例とは異なり、第１のインキに濃い青色のインキを用い、第２Ａのインキに淡い青色のインキを用いてもよい。本発明とは異なり、例えば、第１の画像要素（６）と第２の画像要素（７）を同じ面積率で形成すると、濃い青色の第１のインキによって形成された第１の画像要素（６）から成る第一の画像（８）は、淡い青色の第２Ａのインキによって形成された第２の画像要素（７）から成る第二の画像（９）よりも濃い青色になるが、第二の画像（９）の色の濃淡は、第２の画像要素（７）の面積率によって調整することができ、第二の画像（９）が第一の画像（８）より濃い色で形成されるように、第２の画像要素（７）の面積率を第１の画像要素（６）の面積率より高くすればよい。このように第２Ａのインキが、第１のインキと同じ色相であり、かつ、濃度が異なる場合においても、第１の実施の形態と同様、第１の画像要素（６）より面積率が高く、かつ、第一の画像（８）より濃い色の第二の画像（９）を形成することができる。
【００５６】
第二の画像（９）の上方に形成する第三の画像（１１）の構成は前述のとおりであり、濃い青色の第二の画像（９）の上方に、白色であって、光遮断性を有するインキを使用して、第三の画像（１１）を形成することにより、第二の画像（９）が淡くなり、第二の領域（５）を第一の領域（４）と等色に形成することができる。なお、第一の領域（４）と第二の領域（５）を等色に形成するために第一の画像（８）と第二の画像（９）の面積率、そして、第２の画像要素（７）と第３の画像要素（１０）同士が重なる面積の割合などは適宜設定すればよい。
【００５７】
以上の構成にて成る第２の実施の形態の一つ目の構成においても、第２の画像要素（７）の面積率が第１の画像要素（６）の面積率より高いことで、光遮断性を有するインキによる第３の画像要素（１０）を重ねて形成する領域を広く設計することができ、透過光下において第一の領域（４）と第二の領域（５）のコントラストを大きく設計することができる。
【００５８】
次に、第２の実施の形態の二つ目の構成として、第２の画像要素（７）を第１のインキと異なる色相の第２Ｂのインキによって形成する構成について説明する。また、第２の実施の形態の二つ目の構成について分かりやすく説明するため、第１のインキとして緑色のインキを使用し、また、第２Ｂのインキとして黄色のインキを使用した例について説明する。
【００５９】
第２の実施の形態の二つ目の構成においても第３の画像要素（１０）の面積率を高くすることで、第二の領域（５）において光を遮断する効果を得るため、第２Ｂのインキによって形成する第２の画像要素（７）の面積率を第１の画像要素（６）の面積率より高く形成する。例えば、緑色の第１のインキによって第１の画像要素（６）を形成すると、第一の画像（８）は、第１のインキによる緑色が一様な濃度で視認され、黄色の第２Ｂのインキによって第２の画像要素（７）を形成すると第二の画像（９）は、第２Ｂのインキによる黄色が一様な濃度にて視認される。ここで、第２の画像要素の面積率は第１の画像要素の面積率より高い。
【００６０】
このように、緑色の第一の画像（８）と黄色の第二の画像（９）が形成された第一の領域（４）と第二の領域（５）を等色にするため、第三の画像（１１）を形成する光遮断性を有するインキには、第二の画像（９）の上方に第三の画像（１１）が重なることにより混色した色が、第一の画像（８）の色と同じになる色相のインキを使用する。この場合、青色の光遮断性のあるインキを使用することで、第二の領域（５）は青色と黄色が混色した緑色となり、第一の領域（４）と等色にすることができる。なお、第一の画像（８）と第二の画像（９）を等色に形成するために、第一の画像（８）と第二の画像（９）の面積率、そして、第２の画像要素（７）と第３の画像要素（１０）同士が重なる面積の割合などは適宜設定すればよい。
【００６１】
青色の光遮断性のあるインキは、前述したとおり酸化チタンと青色の着色顔料や着色染料を混合することで容易に作製できる。ここでは、第１のインキを緑色、第２Ｂのインキを黄色、光遮断性を有するインキを青色のインキの例で説明したが、第２Ｂのインキによる第二の画像（９）と光遮断性を有するインキによる第三の画像（１１）の混色による第二の領域（５）の色が第一の領域（４）の色と等色になれば、第１のインキ、第２Ｂのインキ及び光遮断性を有するインキの色はこれに限定されるものではない。
【００６２】
以上の構成で成る第２の実施の形態の二つ目の構成においても、第２の画像要素（７）の面積率が第１の画像要素（６）の面積率より高いことで、光遮断性を有するインキによる第３の画像要素（１０）を重ねて形成する領域を広く設計することができ、透過光下において第一の領域（４）と第二の領域（５）のコントラストを大きく設計することができる。
【００６３】
第２の実施の形態においても、第三の画像（１１）を形成する光遮断性のあるインキの色と基材（２）の色が同じ場合には、第三の画像（１１）をベタ模様の構成としてもよい。具体例としては、前述の第２の実施の形態の二つ目の構成のように、第三の画像（１１）を形成する光遮断性を有するインキが青色であり、基材（２）が同じ青色の場合、ベタ模様として基材（２）の上方に形成された第三の画像（１１）と基材（２）は同じ色として視認されることから、第一の領域（４）と第二の領域（５）の等色関係を崩すことがないため、第三の画像（１１）をベタ模様の構成としてもよい。また、第２の実施の形態の一つ目の形態において、基材（２）が白色の場合についても第三の画像（１１）をベタ模様の構成としてもよい。
【００６４】
以上が、第２の実施の形態の構成であるが、第１の実施の形態の透過潜像印刷物（１）と同様、反射光下から透過光下にて観察したとき、二つの領域に明暗差が生じて区分けした画像として視認することができる。
【００６５】
（第３の実施の形態）
次に、第３の実施の形態として、第一の画像（８）及び第二の画像（９）について色相の異なる複数色のインキを使用した複数の画像要素によって形成する形態について説明する。以下の説明においては画像要素が円形の画素で構成される例について説明するが、前述のとおり画像要素に限定はなく画線としてもよい。
【００６６】
（第一の領域）
第一の領域（４）は、図１４に示すように、第１のインキによる第１の画像要素（６）と、第１のインキとは異なる色相の第１Ａのインキによる第１Ａの画像要素（６’）が、所定のピッチで複数配置されることで、所定の面積率を有する第一の画像（８）が形成される。第１のインキ及び第１Ａのインキとしては、前述のとおり、プロセスインキや特色インキなど通常の着色インキを使用すればよく、光遮断性のある金属顔料は含まない着色インキを使用する。例えば、第１のインキに紅インキ、第１Ａのインキに藍インキを使用した場合、紅インキと藍インキが混色した紫色として第一の領域（４）が形成される。
【００６７】
図１４においては、第１の画像要素（６）と第１Ａの画像要素（６’）とが互いに重ならない配置としているが、第１のインキと第１Ａのインキが混色して、観察者が一様な色と感じられる構成であれば、第１の画像要素（６）と第１Ａの画像要素（６’）の配置に制約はなく、各要素同士が重なっていてもよい。また、プロセス印刷における網点角度が色ごとに異なるような配置としてもよい。
【００６８】
（第二の画像）
図１５においては、第二の領域（５）は、第一の画像（８）を形成するインキと同じ第１のインキによる第２の画像要素（７）と、第１Ａのインキによる第２Ａの画像要素（７’）とが所定のピッチで複数配置されることで、所定の画線面積率を有する第二の画像（９）が形成される。図１５においても、第２の画像要素（７）と第２Ａの画像要素（７’）とが互いに重ならない配置としているが、第１のインキと第１Ａのインキが混色して、観察者が一様な色と感じられる構成であれば、第２の画像要素（７）と第２Ａの画像要素（７’）の配置に制約はなく、各要素同士が重なっていてもよい。また、プロセス印刷における網点角度が色ごとに異なるような配置としてもよい。
【００６９】
第３の実施の形態においても、第二の画像（９）の面積率は、第一の画像（８）の面積率より高くする必要があり、詳細には、第１のインキによる第２の画像要素（７）は、第１のインキによる第１の画像要素（６）よりも面積率が高く、かつ、第１Ａのインキによる第２Ａの画像要素（７’）は、第１Ａのインキによる第１Ａの画像要素（６’）よりも面積率が高い構成にて形成される。この構成により、第二の画像（９）は、第１のインキの色と第１Ａのインキの色とが混色した色が第一の画像（８）よりも濃い色と視認できる構成となる。
【００７０】
（第三の画像）
第三の画像（１１）は前述のように、白色であり光遮断性を有するインキによる第３の画像要素（１０）が所定のピッチで複数配置される構成であり、第３の実施の形態において第３の画像要素（１０）は、詳細には、第二の画像（９）を構成する第２の画像要素（７）と、第２Ａの画像要素（７’）に対応して重なる構成である。図１６は、図１５に示す第２の画像要素（７）と、第２Ａの画像要素（７’）に対応して重なる第３の画像要素の構成を示す図であり、図１６の拡大図では、第２の画像要素（７）に対応して重なる第３の画像要素を符号「１０」で示し、第２Ａの画像要素（７’）に対応して重なる第３Ａの画像要素を符号「１０’」にて示している。
【００７１】
第３の実施の形態においては、第１の実施の形態に対して、印刷画像（３）を形成する色の数が増加した分だけ、第一の領域（４）と第二の領域（５）を等色とするための調整が必要である。具体的には、第１の実施の形態において、第１のインキにより異なる面積率にて形成された第１の画像要素（６）と第２の画像要素（７）とを等色に形成する原理と同様にすればよい。第３の実施の形態では、第３の画像要素（１０）及び第３Ａの画像要素（１０’）がそれぞれ重なることで等色とする。なお、第一の領域（４）と第二の領域（５）の等色関係を満たす構成であれば、第三の画像（１１）は、ベタ模様の構成としてもよい。
【００７２】
以上の構成により形成された第３の実施の形態の透過潜像印刷物（１）は、反射光下において観察したとき、印刷画像（３）が第１のインキの色と第１Ａのインキの色が混色して視認される効果があり、また、第一の画像（８）と第二の画像（９）とを異なる色相のインキを使用して印刷画像（３）を形成することから、第１の実施の形態及び第２の実施の形態と比べて、印刷画像（３）を表現する色の自由度が広くなる。
【実施例】
【００７３】
以下、前述の発明を実施するための形態に従って、具体的に作製した透過潜像印刷物（１）の実施例について説明するが、当然、本発明はこの実施例に限定されるものではない。
【００７４】
（実施例１）
実施例１は、第１の実施の形態の構成で成る透過潜像印刷物（１）であり、具体的には、図１から図７までに示す構成の透過潜像印刷物（１）を作製した。基材（２）には白色のカラーコピー用上質紙（坪量７９ｇ／ｍ２、白色度９０％、紙厚９５μｍ）を用い、印刷画像（３）はＰＣ用のグラフィックソフトウェアを使用して、次に説明する画像データを作成し、レーザプリンタにより、色材を付与した。
【００７５】
第１の画像要素（６）は、図４に示すような円形の画素にて、設計値：ＷＡ１＝ＷＢ１＝６０μｍ、ピッチＰ１ａ＝Ｐ１ｂ＝１２７μｍ（２００線、画線面積率約２０％）とし、第１のインキをブラックとして形成した。
【００７６】
第２の画像要素（７）は、図６に示すような円形の画素にて、設計値：ＷＡ２＝ＷＢ２＝８０μｍ、ピッチＰ２ａ＝Ｐ２ｂ＝１２７μｍ（２００線、画線面積率約３０％）とし、第１のインキをブラックとして形成した。
【００７７】
第３の画像要素（１０）は、第２の画像要素（７）の全てを覆うベタ模様の構成（画線面積率１００％）にて、酸化チタンを含む白色インキを使用して形成した。なお、基材（２）の色と、基材（２）に酸化チタンを含む白色インキをベタ印刷した部分の色との色差ΔＥは１．６９（分光測色計による測定値）であった。
【００７８】
以上のように作製した透過潜像印刷物（１）を図１０（ａ）に示す反射光下において観察すると、第一の領域（４）と第二の領域（５）は等色に視認され、一様な灰色の籠目模様として観察できた。さらに、図１０（ｂ）のように透過光下において観察すると、第二の領域（５）が第一の領域（４）より濃く視認され、風車の模様と扇パターンの外周部とが区分けして視認できた。
【００７９】
（実施例２）
実施例２は、第３の実施の形態の構成で成る透過潜像印刷物（１）であり、第一の画像（８）及び第二の画像（９）を色相の異なるマゼンタ色とシアン色のインキを使用して、図１に示すような透過潜像印刷物（１）を作製した。基材（２）の構成及び作製方法は実施例１と同様とした。
【００８０】
第１の画像要素（６）は、図１４に示すような円形の画素にて、設計値：ＷＡ１＝ＷＢ１＝５５μｍ、ピッチＰ２ａ＝Ｐ２ｂ＝１２７μｍ（２００線、画線面積率約１５％）、配列角度θを１５度とし、第１のインキをシアン色として形成した。
【００８１】
第１Ａの画像要素（６’）は、図１４に示すような円形の画素にて、設計値：ＷＡ１’＝ＷＢ１’＝４５μｍ、ピッチＰ２ａ’＝Ｐ２ｂ’＝１２７μｍ（２００線、画線面積率約１０％）、配列角度θを７５度とし、第１Ａのインキをマゼンタ色として形成した。
【００８２】
第２の画像要素（７）は、図１５に示すような円形の画素にて、設計値：ＷＡ２＝ＷＢ２＝７８μｍ、ピッチＰ３ａ＝Ｐ３ｂ＝１２７μｍ（２００線、画線面積率約３０％）、配列角度θを１５度とし、第１のインキをシアン色として形成した。
【００８３】
第２Ａの画像要素（７’）は、図１５に示すような円形の画素にて、設計値：ＷＡ２’＝ＷＢ２’＝６４μｍ、ピッチＰ３ａ’＝Ｐ３ｂ’＝１２７μｍ（２００線、画線面積率約２０％）、配列角度θを７５度とし、第１Ａのインキをマゼンタ色として形成した。
【００８４】
第３の画像要素（１０）は、第２の画像要素（７）及び第２Ａの画像要素（７’）の全てをベタで覆う構成（画線面積率１００％）にて、酸化チタンを含む白色にて形成した。
【００８５】
以上のように作製した透過潜像印刷物（１）を図１０（ａ）に示す反射光下において観察すると、第一の領域（４）と第二の領域（５）は等色に視認され、シアン色とマゼンタ色が混色した一様な淡い紫色の籠目模様として観察できた。さらに、図１０（ｂ）のように透過光下において観察すると、第二の領域（５）が第一の領域（４）より濃く感じられ、風車の模様と扇パターンの外周部とが区分けして視認できた。
【００８６】
（実施例３）
実施例３は、第２の実施の形態の構成で成る透過潜像印刷物（１）であり、第一の画像（８）を淡いブラックのインキ、第二の画像（９）を濃いブラックのインキを使用して、図１に示すような透過潜像印刷物（１）を作製した。基材（２）の構成及び作製方法は実施例１と同様とした。
【００８７】
第１の画像要素（６）は、図４に示すような円形の画素にて、設計値：ＷＡ１＝ＷＢ１＝３５μｍ、ピッチＰ１ａ＝Ｐ１ｂ＝１２７μｍ（画線面積率約６％）、第１のインキを淡いブラックとして形成した。なお、第１のインキのベタ濃度は１．５２（分光測色計による測定値）であった。
【００８８】
第２の画像要素（７）は、図６に示すような円形の画素にて、設計値：ＷＡ２＝ＷＢ２＝４５μｍ、ピッチＰ２ａ＝Ｐ２ｂ＝１２７μｍ（画線面積率約１０％）、第２Ａのインキを第１のインキより濃いブラックにて形成した。なお、第２Ａのインキのベタ濃度は１．９０（分光測色計による測定値）であった。
【００８９】
第３の画像要素（１０）は、第２の画像要素（７）の全てを覆うベタ模様の構成（画線面積率１００％）にて、酸化チタンを含む白色インキを使用して形成した。
【００９０】
以上のように作製した透過潜像印刷物（１）を図１０（ａ）に示す反射光下において観察すると、第一の領域（４）と第二の領域（５）は等色に視認され、一様な灰色の籠目模様として観察できた。さらに、図１０（ｂ）のように透過光下において観察すると、第二の領域（５）が第一の領域（４）より濃く視認され、風車の模様と扇パターンの外周部とが区分けして視認できた。
【００９１】
（実施例４）
実施例４は、実施例１の白色の基材（２）を使用して作製した透過潜像印刷物（１）に対して、基材（２）の色が異なる例であり、３種類の色の基材（２）を使用して作製した透過潜像印刷物（１）である。実施例４において、使用した基材（２）の構成を表１に、使用した基材（２）に応じて作製した透過潜像印刷物（１）の結果を表２にそれぞれ示す。加えて、比較例として、実施例４とは別に使用した基材（２）の構成を表１に、作製した印刷物の結果を表２にそれぞれ示す。
【００９２】
【表１】
2019142168.tif 000003
【００９３】
【表２】
2019142168.tif 000004
【００９４】
実施例４にて使用した３種類の基材（２）は、いずれも色上質紙であり、表１に示すように薄青色、薄紅色、薄黄色の基材（２）をそれぞれ使用している。また、比較例は、表１に示すように青色の基材（２）を使用した。実施例４にて使用した３種類の基材（２）及び比較例で使用した基材（２）に対して、それぞれ表２に示す条件にて実施例１と同じブラックインキを使用し、第一の画像（８）と第二の画像（９）を形成した。また、第２の画像要素（７）の全てを覆うベタ模様の構成（画線面積率１００％）にて、酸化チタンを含む白色インキを使用し、第三の画像（１１）を形成した。
【００９５】
以上のように作製した実施例４と比較例の印刷物において、基材（２）と、基材（２）に直接、酸化チタンを含む白色インキによってベタ模様を形成した領域との色差ΔＥ、そして、反射光下で観察した際の第一の領域（４）と第二の領域（５）の等色状態を目視にて確認した結果を表２に示す。
【００９６】
表２のように、実施例４−１及び実施例４−２においては、基材（２）と酸化チタンを含む白色インキをベタ模様として形成した領域の色差ΔＥが３程度と低く、第一の領域（４）と第二の領域（５）は、反射光下で等色に視認され、透過光下において視認される画像を隠蔽する効果が高い結果であった。
【００９７】
また、実施例４−３の基材（２）と酸化チタンを含む白色インキをベタ模様として形成した領域を反射光下において観察すると、色味に若干の違いを感じたが、第一の領域（４）と第二の領域（５）は区分けし難い結果であった。なお、実施例４−１から実施例４−３までの印刷物において、透過光下において観察した場合、第二の領域（５）が第一の領域（４）より濃く視認され、風車の模様と扇パターンの外周部とが区分けして視認できた。
【００９８】
一方、比較例の印刷物においては、基材（２）と酸化チタンを含む白色インキをベタ模様として形成した領域の色差ΔＥが実施例４−３より大きく、反射光下における目視の観察でも、第一の領域（４）と第二の領域（５）が区分して視認される結果であった。
【符号の説明】
【００９９】
１    透過潜像印刷物
２    基材
３    印刷画像
４    第一の領域
５    第二の領域
６    第１の画像要素
６’    第１Ａの画像要素
７    第２の画像要素
７’    第２Ａの画像要素
８    第一の画像
９    第二の画像
１０    第３の画像要素
１０’    第３Ａの画像要素
１１    第三の画像
Ｅ１    反射画像の観察者
Ｅ２    透過画像の観察者
Ｌ１    反射光源
Ｌ２    透過光源
ＶＡ１    第１Ａの方向
ＶＡ２    第２Ａの方向
ＶＡ３    第３Ａの方向
ＶＢ１    第１Ｂの方向
ＶＢ２    第２Ｂの方向
ＶＢ３    第３Ｂの方向
Ｐ１ａ、Ｐ２ａ、Ｐ３ａ、Ｐ１ｂ、Ｐ２ｂ、Ｐ３ｂ    画像要素のピッチ
ＷＬ１、ＷＬ２、ＷＬ３    線幅
ＷＡ１、ＷＡ２、ＷＡ３、ＷＢ１、ＷＢ２、ＷＢ３    画像要素の大きさ
【図１】
2019142168.tif 000005
【図２】
2019142168.tif 000006
【図３】
2019142168.tif 000007
【図４】
2019142168.tif 000008
【図５】
2019142168.tif 000009
【図６】
2019142168.tif 000010
【図７】
2019142168.tif 000011
【図８】
2019142168.tif 000012
【図９】
2019142168.tif 000013
【図１０】
2019142168.tif 000014
【図１１】
2019142168.tif 000015
【図１２】
2019142168.tif 000016
【図１３】
2019142168.tif 000017
【図１４】
2019142168.tif 000018
【図１５】
2019142168.tif 000019
【図１６】
2019142168.tif 000020